(57)【特許請求の範囲】
【請求項１】
外部よりセット信号又はリセット信号が入力されると、動作状態が切り換わり、切り換わった動作状態を保持する負荷が複数接続されるとともに、各負荷に個別にセット信号を出力する複数の第１の出力ポートと、全ての負荷にリセット信号を出力する第２の出力ポートとを備えたマイクロコンピュータからなり、第２の出力ポートを各負荷に共通接続することを特徴とする制御回路。
【請求項２】
上記負荷が、セット信号又はリセット信号に応じて開閉状態が切り換わるラッチ式電磁弁であることを特徴とする請求項１記載の制御回路。
【発明の詳細な説明】
【０００１】
【発明の属する技術分野】
本発明は、負荷の動作状態を切り替えるセット信号又はリセット信号を出力する制御回路に関するものである。
【０００２】
【従来の技術】
この種の制御回路としては、温水洗浄便座に用いるラッチ式電磁弁を駆動するものがあった。
温水洗浄便座２０の概略構成図を図４に、外観斜視図を図５に、側面図を図６に示す。温水洗浄便座２０は、便器２１の上面後部に配設されており、温水洗浄便座２０には、便座２２及び蓋２３が回動部２４を中心として回動自在に配設されている。温水洗浄便座２０の一方の側部には温水タンク２５が設置されており、吸水タンク２６或いは水道管２７からホース２８を介して供給される水がポンプ（図示せず）によって温水タンク２５に送られ、温水タンク２５内でヒータ（図示せず）によって加熱されて温水が常備されている。尚、図５中の２９は温水洗浄便座２０の洗浄・停止などの操作や各種の設定を行うための操作部であり、３０は温水洗浄便座２０に電源を供給するためのコードユニットである。
【０００３】
ミキシングユニット３は、温水タンク２５から供給される温水と水とを混合し、後述する臀部用ノズル６ａ又はビデ用ノズル６ｂに供給する洗浄水の温度を所望の温度に調整する。ミキシングユニット３の出口側の水路７ｄには、ミキシングユニット３から供給される洗浄水の温度を検出する温水サーミスタ４が設けられており、後述のマイクロコンピュータからなる制御回路１は温水サーミスタ４を用いて洗浄水の温度を監視している。
【０００４】
ミキシングユニット３の出口側の水路７ｄには、それぞれ、冷水除去弁２ａと臀部用洗浄弁２ｂとビデ用洗浄弁２ｃとが接続されており、臀部用洗浄弁２ｂには水圧調節弁（ＷＣＶ：Ｗａｔｅｒ  Ｃｏｎｔｒｏｌ  Ｖａｌｖｅ  ）５ｂを介して臀部用ノズル６ａが接続され、ビデ用洗浄弁２ｃには水圧調節弁５ｃを介してビデ用ノズル６ｂが接続される。ここで、水圧調節弁５ｂ，５ｃは、それぞれ、臀部用ノズル６ａ、ビデ用ノズル６ｂから噴射される洗浄水の噴射圧を調整するための圧力調整弁であり、臀部用ノズル６ａ、ビデ用ノズル６ｂから洗浄水が高圧で噴射されるのを防止する働きも有している。
【０００５】
制御回路１には、操作部２９を構成する操作スイッチ８１  〜８３  （臀部用、ビデ用、停止用）及び着座スイッチ８４  からの信号がそれぞれ入力される。また、各弁２ａ〜２ｃの駆動回路１０ａ〜１０ｃには、制御回路１からの信号線が接続されており、制御回路１からの開信号（セット信号）又は閉信号（リセット信号）により各弁２ａ〜２ｃが開閉される。
【０００６】
ここで、便座２２に人が座り、着座スイッチ８４  がオンになった後に、臀部用又はビデ用の操作スイッチ８１  ，８２  が操作され、制御回路１に操作スイッチ８１  ，８２  からの操作信号が入力されると、制御回路１は、臀部用洗浄弁２ｂの駆動回路１０ｂ或いはビデ用洗浄弁２ｃの駆動回路１０ｃに開信号を出力して、臀部用洗浄弁２ｂ或いはビデ用洗浄弁２ｃを開き、臀部用ノズル６ａ或いはビデ用ノズル６ｂから洗浄水を噴射して、洗浄を行う。その後、停止用の操作スイッチ８３  が操作されると、制御回路１は、開状態の臀部用洗浄弁２ｂ或いはビデ用洗浄弁２ｃの駆動回路１０ｂ，１０ｃに閉信号を出力して、開状態の臀部用洗浄弁２ｂ或いはビデ用洗浄弁２ｃを閉じ、洗浄を停止する。
【０００７】
尚、冷水除去弁２ａは、洗浄開始時に臀部用ノズル６ａ或いはビデ用ノズル６ｂから冷水が噴射されるのを防止するために設けられており、洗浄開始時に制御回路１は冷水除去弁２ａの駆動回路１０ａに開信号を出力して、冷水除去弁２ａを開き、ミキシングユニット３から臀部用洗浄弁２ｂ及びビデ用洗浄弁２ｃまでの水路７ｄに溜まった冷水を水路７ａから放出する。
【０００８】
ところで、冷水除去弁２ａ、臀部用洗浄弁２ｂ、及びビデ用洗浄弁２ｃは、それぞれ、ラッチ式電磁弁から構成されており、図２に示すように、制御回路１は、各弁２ａ〜２ｃの駆動回路１０ａ〜１０ｃに個別に開信号を出力する第１の出力ポートたる開信号出力ポートＰＯ１  〜ＰＯ３  と、各弁２ａ〜２ｃの駆動回路１０ａ〜１０ｃに個別に閉信号を出力する第２の出力ポートたる閉信号出力ポートＰＣ１  〜ＰＣ３  とを備えており、開信号出力ポートＰＯ１  ，ＰＯ２  ，ＰＯ３  はそれぞれ各駆動回路１０ａ，１０ｂ，１０ｃのトランジスタＱ１  ，Ｑ１１，Ｑ２１のベースに抵抗器を介して接続され、閉信号出力ポートＰＣ１  ，ＰＣ２  ，ＰＣ３  はそれぞれ各駆動回路１０ａ，１０ｂ，１０ｃのトランジスタＱ２  ，Ｑ１２，Ｑ２２のベースに抵抗器を介して接続される。このように、制御回路１では、各弁２ａ…に対してそれぞれ１対の開信号出力ポートＰＯ１  …及び閉信号出力ポートＰＣ１  …を割り付けていた。
【０００９】
図３に示すように、例えば制御回路１が、開信号出力ポートＰＯ１  から冷水除去弁２ａの駆動回路１０ａにパルス状の開信号を出力すると、トランジスタＱ１  がオンし、トランジスタＱ５  ，Ｑ４  がオンして、冷水除去弁２ａのソレノイドに電流ｉ１  が流れ、冷水除去弁２ａが開き、開状態を保持する。一方、制御回路１が、閉信号出力ポートＰＣ１  から冷水除去弁２ａの駆動回路１０ａにパルス状の閉信号を出力すると、トランジスタＱ２  がオンし、トランジスタＱ３  ，Ｑ６  がオンして、冷水除去弁２ａのソレノイドに逆方向の電流ｉ２  が流れ、冷水除去弁２ａが閉じて、閉状態を保持する。ここで、各トランジスタＱ３  〜Ｑ６  には、それぞれ、ダイオードＤ１  〜Ｄ４  が逆並列接続されており、トランジスタＱ３  〜Ｑ６  のオフ時に発生するサージ電流によって、トランジスタＱ３  〜Ｑ６  が破損するのを防止している。尚、臀部用洗浄弁２ｂ及びビデ用洗浄弁２ｃについても同様であるので、その説明を省略する。
【００１０】
【発明が解決しようとする課題】
上記構成の制御回路１は、各弁２ａ〜２ｃの駆動回路１０ａ〜１０ｃに個別に開信号を出力する開信号出力ポートＰＯ１  〜ＰＯ３  及び各弁２ａ〜２ｃの駆動回路１０ａ〜１０ｃに個別に閉信号を出力する閉信号出力ポートＰＣ１  〜ＰＣ３  を備えているので、制御回路１に接続される弁２ａ…の数が増加すると、開信号出力ポートＰＯ１  …及び閉信号出力ポートＰＣ１  …の数が増加し、制御回路１のポート数が増加するという問題があった。
【００１１】
本発明は上記問題点に鑑みて為されたものであり、その目的とするところは、ポート数を削減した制御回路を提供することにある。
【００１２】
【課題を解決するための手段】
上記目的を達成するために、請求項１の発明では、外部よりセット信号又はリセット信号が入力されると、動作状態が切り換わり、切り換わった動作状態を保持する負荷が複数接続され、各負荷に個別にセット信号を出力する複数の第１の出力ポートと、全ての負荷にリセット信号を出力する第２の出力ポートとを備えたマイクロコンピュータからなり、第２の出力ポートを各負荷に共通接続しており、請求項２の発明では、請求項１の発明において、上記負荷が、セット信号又はリセット信号に応じて開閉状態が切り換わるラッチ式電磁弁であるので、各負荷毎にリセット信号を出力する出力ポートを設ける必要がなく、リセット信号を出力する出力ポートの数を減らすことができる。
【００１３】
【発明の実施の形態】
本実施形態の制御回路１の一部省略せる回路図を図１に示す。この制御回路１は、上述した温水洗浄便座２０に用いられており、ラッチ式電磁弁よりなる冷水除去弁２ａ、臀部用洗浄弁２ｂ、ビデ用洗浄弁２ｃの開閉状態を制御している。尚、本実施形態の制御回路１を用いる温水洗浄便座２０の構成は、上述した温水洗浄便座２０と同様であるので、その説明は省略する。
【００１４】
制御回路１はマイクロコンピュータからなり、各弁２ａ〜２ｃに個別にセット信号たる開信号を出力する第１の出力ポートたる開信号出力ポートＰＯ１  〜ＰＯ３  と、全ての弁２ａ〜２ｃに一括してリセット信号たる閉信号を出力する第２の出力ポートたる閉信号出力ポートＰＣをそれぞれ備えている。開信号出力ポートＰＯ１  ，ＰＯ２  ，ＰＯ３  は、それぞれ、各弁２ａ，２ｂ，２ｃを駆動する駆動回路１０ａ，１０ｂ，１０ｃのトランジスタＱ１  ，Ｑ１１，Ｑ２１のベースに抵抗器を介して接続される。また、閉信号出力ポートＰＣは、各弁２ａ，２ｂ，２ｃを駆動する駆動回路１０ａ，１０ｂ，１０ｃのトランジスタＱ２  ，Ｑ１２，Ｑ２２のベースに抵抗器を介して共通接続される。このように、本実施形態の制御回路１では、閉信号出力ポートＰＣを複数の弁２ａ〜２ｃの駆動回路１０ａ〜１０ｃに共通接続しているので、閉信号出力ポートＰＣを各駆動回路１０ａ〜１０ｃに対して個別に設けた場合に比べて、閉信号出力ポートＰＣの数を削減することができる。
【００１５】
ここで、弁２ａ〜２ｃが全て閉状態の場合に、制御回路１が、開信号出力ポートＰＯ１  から冷水除去弁２ａの駆動回路１０ａにパルス状の開信号を出力すると、トランジスタＱ１  がオンし、トランジスタＱ５  ，Ｑ４  がオンして、冷水除去弁２ａのソレノイドに電流ｉ１  が流れ、冷水除去弁２ａが開いて、開状態を保持する。
【００１６】
その後、制御回路１が、閉信号出力ポートＰＣからパルス状の閉信号を出力すると、この閉信号は、弁２ａ，２ｂ，２ｃを夫々駆動する駆動回路１０ａ，１０ｂ，１０ｃのトランジスタＱ２  ，Ｑ１２，Ｑ２２のベースに一括して入力される。この時、冷水除去弁２ａの駆動回路１０ａでは、それぞれ、閉信号出力ポートＰＣからの閉信号が抵抗器を介してトランジスタＱ２  のベースに印加され、トランジスタＱ２  がオンし、トランジスタＱ３  ，Ｑ６  がオンして、冷水除去弁２ａのソレノイドに逆方向の電流ｉ２  が流れ、冷水除去弁２ａが閉じて、閉状態を維持する。尚、他の臀部用洗浄弁２ｂ及びビデ用洗浄弁２ｃについても同様であるので、その説明は省略する。またこの時臀部用洗浄弁２ｂ及びビデ用洗浄弁２ｃは共に閉状態となっているので、制御回路１の閉信号出力ポートＰＣから駆動回路１０ｂ，１０ｃに閉信号が入力されても、臀部用洗浄弁２ｂ及びビデ用洗浄弁２ｃは閉状態を維持する。
【００１７】
【発明の効果】
上述のように、請求項１の発明は、外部よりセット信号又はリセット信号が入力されると、動作状態が切り換わり、切り換わった動作状態を保持する負荷が複数接続され、各負荷に個別にセット信号を出力する複数の第１の出力ポートと、全ての負荷にリセット信号を出力する第２の出力ポートとを備えたマイクロコンピュータからなり、第２の出力ポートを各負荷に共通接続しており、請求項２の発明は、上記負荷が、セット信号又はリセット信号に応じて開閉状態が切り換わるラッチ式電磁弁であるので、各負荷毎にリセット信号を出力する出力ポートを設ける必要がなく、リセット信号を出力する出力ポートの数を減らすことができるという効果がある。
【図面の簡単な説明】
【図１】本実施形態の制御回路を示す回路図である。
【図２】従来の制御回路を示す回路図である。
【図３】同上の制御回路の動作を説明する図である。
【図４】同上の制御回路を用いる温水洗浄便座を示す概略構成図である。
【図５】同上の制御回路を用いる温水洗浄便座を示す外観斜視図である。
【図６】同上の制御回路を用いる温水洗浄便座を示す側面図である。
【符号の説明】
１    制御回路
２ａ  冷水除去弁
２ｂ  臀部用洗浄弁
２ｃ  ビデ用洗浄弁
１０ａ〜１０ｃ  駆動回路
ＰＯ１  〜ＰＯ３    開信号出力ポート
ＰＣ  閉信号出力ポート
【図１】
0003598753.tif 000002
【図２】
0003598753.tif 000003
【図３】
0003598753.tif 000004
【図４】
0003598753.tif 000005
【図５】
0003598753.tif 000006
【図６】
0003598753.tif 000007